(57)【要約】    本発明は、時計または宝飾品などの製品に符号をマークする方法である。本方法は、第１の認証子を得るために、特定のセキュリティ・アルゴリズム鍵を用いて、マークすべき製品の識別子を暗号化する第１の数学的暗号化操作を実行する。    第１の認証子は、第一の長い英数字キャラクタで定義された第一のデータ長からなる。この第１の認証子を、ハッシュ型関数を用いる第２の数学的暗号化操作を用いて第２の認証子に暗号化する。この第２の認証子は、第一のそれより短い英数字キャラクタで定義された第二のテ゛ータ長からなる。第２の認証子は、製品を認証する目的で製品に付与するための符号マークとして、好ましくは、二次元バーコード形式の符号化イメージに変換される。
2009536467.tif 000002
【特許請求の範囲】
【請求項１】
時計または宝飾品（１０）を認証するために、符号をマークする方法において、
第１の認証子を得るために、特定のセキュリティ・アルゴリズム鍵を用いて、マークすべき製品の識別子を暗号化する第１数学的暗号化操作を実行し、
（Ａ）  第１データ長さの第１の認証子を、ハッシュ型関数を用いる第２数学的暗号化操作を用いた第２の認証子に暗号化するステップと、
前記第２の認証子は、識別子を直接見出すことを許さず、第１データ長さより短い第２データ長さを有し、
（Ｂ）  前記第２の認証子を、符号化（暗号化）イメージ（１１）に変換するステップと、
（Ｃ）  前記暗号化されたイメージを、製品に符号マークとして記述するステップと
を有する
ことを特徴とする認証用のマークを製品に付ける方法。
【請求項２】
前記第１の数学的暗号化操作は、第１データ長さの第１の認証子を提供し、
前記認証子は、第１の長さの二進キャラクタを含み、この二進キャラクタは、第１の長さの英数字キャラクタにより表され、
前記ハッシュ型関数を用いる第２の数学的暗号化操作は、第２データ長さの第２の認証子を提供し、
前記第２の認証子は、第２の長さの二進キャラクタを有し、
この第２の長さの二進キャラクタは、第２の長さの英数字キャラクタにより表され、
前記第２の長さの英数字キャラクタは、前記第１の認証子の第１の長さの英数字キャラクタよりも５分の一から２０分の一短い
ことを特徴とする請求項１記載の方法。
【請求項３】
マークされるべき製品の製造番号である識別子を、第１の認証子に暗号化する第１の数学的暗号化操作は、一対の公開鍵と秘密鍵を有する非対称アルゴリズムの秘密鍵を用いて行われ、
前記得られた第１の認証子の文字の第１の数は、１７１個または３４２個の英数字キャラクタであり、
前記第２の数学的暗号化操作は、第２の長さの英数字キャラクタにより表される第２の認証子を提供し、
この第２の長さの英数字キャラクタは、２１個または２６個の英数字キャラクタである
ことを特徴とする請求項１記載の方法。
【請求項４】
前記第２の認証子は、二次元バーコード（１１）に変換され、
前記二次元バーコードは、製品の表面上に配置され、１ｍｍ２以下、好ましくは０．３６ｍｍ２で、デジタル・バーコード・リーダーにより簡単に読み出せる
ことを特徴とする請求項１記載の方法。
【請求項５】
前記バーコードは、マークされるべき製品の材料に、レーザー装置のレーザー・ビームによりエッチングして形成される
ことを特徴とする請求項１記載の方法。
【請求項６】
レーザー・ビームでエッチングされた符号マークに対する補助的な署名は、レーザー装置をプログラムすることにより得られ、その結果、デジタル・レーザー・ビーム・リーダーにより検出可能な可変のエッチング深さあるいは所定のエッチング角を得る
ことを特徴とする請求項１記載の方法。
【請求項７】
マークされるべき製品は、時計ケース（１０）、時計のムーブメント、時計の文字板、時計の指針であり、
前記符号化されたイメージ（１１）は、前記製品上に識別子と共に記載され、
前記識別子は、一連の製品番号（１３）と／または製品のブランドの指定である
ことを特徴とする請求項１記載の方法。
【請求項８】
前記暗号化されたイメージ（１１）は、製品（１０）のブランドの識別子（１３）とサイン（１２）と組み合わせて、前記製品（１０）上に配置され、
前記符号化されたイメージ（１２）により形成された組立体と識別子とサインは、製品の材料上にスタンプされる
ことを特徴とする請求項１記載の方法。
【請求項９】
前記製品は、バンドを固定するホーンを具備した時計ケース（１０）であり、
二次元バーコードにより規定される第１の暗号化イメージ（１１）がケースの外側で、ケースのホーンの間に配置され、ホーンの間に固定される時計バンドにより隠され、
前記第１の暗号化イメージと同一あるいは異なる第２の暗号化イメージがケースの内側部分に、時計のブランドのサイン（１２）と識別子（１３）とを組み合わせて配置される
ことを特徴とする請求項１記載の方法。
【請求項１０】
請求項１−９のいずれかの方法により製造された製品において、
前記製品は、少なくとも１つの表面に暗号化されたイメージ（１１）を、符号マークとして有し、
前記符号マークは、特定のセキュリティ・アルゴリズムの１つの鍵を用いて識別子を暗号化する第１数学的暗号化操作により得られ、
前記二次元バーコードは、前記第１の数学的暗号化操作の後、得られた第１の認証子に対し、ハッシュ型関数を用いる第２の数学的暗号化操作により得られる
ことを特徴とする製品。
【請求項１１】
前記製品は、バンドを固定するホーンを具備する時計ケース、時計のムーブメント、時計の文字板、指針であり、
前記二次元バーコードは、製品の材料上にエッチングで形成され、あるいはスタンプされる
ことを特徴とする請求項１０記載の製品。
【請求項１２】
前記製品は、時計ケースであり、第一の二次元バーコード（１１）が、ケースのホーン間の外側部品に付与され、ホーン間に搭載される時計のバンドの端部で隠されること、
および第一のバーコードと同等もしくは異なる第二の二次元バーコードが、ケースブランドの署名（１２）と識別子（１３）と組み合わされて、ケースの内側に付与される
ことを特徴とする請求項１１記載の製品。
【発明の詳細な説明】
【技術分野】
【０００１】
本発明は、時計あるいは宝石のような小型の製品に符号（暗号）マークを付し、その製品を認証する方法に関する。
【背景技術】
【０００２】
小型の製品とは、時計の大きさの機器あるいはその構成部品、ネックレス、ブレスレット、リング、宝石あるいは他の器具のような製品を意味する。
【０００３】
製品の模造を防ぐために、特に宝石、例えば時計や宝飾品等の模造品を防ぐために、符号マークあるいは識別子が各製品に付され、その製品を認証し、識別している。この符号マークは、その製品の製造プロセスの間に取り付けられて、その後製造された製品の認証を保証する。このような製品に付された符号マークは、大きな寸法のものであってはならない。この理由は、肉眼でみることのできる製品の外部の部分にマークが配置されると、製品の美観を損ねることがあり、それを回避するためである。
【０００４】
これを行うために、例えばこの製品の特定の識別子と認証を確保するような様々なマーキング方法が過去に提案されている。符号マークは、製品の上でカモフラージュしたり、他のマークの表示の一部を形成する。この符号マークは、製品の識別子をベースにしている。この識別子は、製造プロセスの間、製品に付属する一連の番号である。その後、この識別子を通常の暗号化アルゴリズムで暗号化して、複数個の英数字からなる認証子を得る。この文字の数は、使用される暗号鍵の寸法の関数である。
【０００５】
特許文献１は、時計のような高価な商品の模造を防止する方法を開示する。同文献によれば、各時計は符号マークを有する。この符号マークが時計の一部にエッチングされている。この符号マークは、製品の一連の番号に関連する識別子と、暗号化された部分からなる。この暗号化された部分は、時計に関する情報の一部を用いて得られる。この暗号化部分は、公開鍵と秘密鍵の対のアルゴリズムに基づく秘密鍵によって暗号化されている。このようなアルゴリズムを介して公開鍵により、暗号化された部分が解読されて情報を見ることができる。
【特許文献１】欧州特許第０８８９４４８号明細書
【０００６】
この特許文献１の方法は、暗号化部分を得るのに、時計情報の一部のみが用いられて、識別子（例、製品番号）の全てを用いていない。さらに、識別子の一部のみでさえも、このアルゴリズムにより得られる暗号化部分の大きさは、大きすぎて模造品に対するセキュリティを保証するためには小型の製品に配置することにおいて、改善の余地がある。
【０００７】
認証子（製品の製造番号に基づいて暗号化アルゴリズムにより得られる長い英数字キャラクタを有する）を二次元バーコードに変換することは公知である。この二次元バーコードは、認証子の英数字キャラクタの全てよりも寸法が小さくなる。しかし、バーコードは依然として大きく、小型の製品に付けることもできず、簡単なデジタル・バーコード・リーダーで読むこともできない。
【発明の開示】
【発明が解決しようとする課題】
【０００８】
本発明の目的は、前記の従来技術の問題を解決するために、小型の製品に符号マークを付する方法を提供し、これにより、模造品対策のために製造された製品の認証のセキュリティを確保することである。
【課題を解決するための手段】
【０００９】
本発明は、小型の製品に符号マークを付する方法であり、その特徴は請求項１に記載されている。
【００１０】
本発明の特に好ましいステップは、請求項２−９に開示されている。
【００１１】
小型の製品に符号マークを付する方法の利点は、製品（特に貴重品）を信頼できる方法で認証子することができる。これは、短い第２の変換された認証子を用いて行う。この認証子は、製品の識別子をベースに得られる。この識別子（製品の製造番号）をベースにした第２の認証子の符号マークを得るために、識別子を暗号化するための第１数学的暗号化操作が特定のセキュリティ・アルゴリズムの鍵を用いて実行され、第２数学的暗号化操作がハッシュ型の関数を用いて実行される。好ましくは、一対の公開鍵と秘密鍵を用いた非対称性セキュリティ・アルゴリズムが用いられる。
【００１２】
この２回の暗号化操作により、この方法は貴重品（時計、宝飾品）の模造品に対しより大きなセキュリティを提供する。特に、ハッシュ関数を用いた二重の暗号化操作は、得られた第２の認証子をベースにして識別子を探知することを許さない。さらに、これにより、短い第２の変換された認証子が得られる。これは、美観を損なうことなく製品の外側に配置することができる。符号化（暗号化）されたイメージの表面は、二次元バーコードで１ｍｍ２以下の面積で、例えば０．３６ｍｍ２である。短いこのバーコードは従来のデジタル・バーコード・リーダーで簡単に読むことができ、拡大ガラス（虫眼鏡）で問題なく検査することができる。
【００１３】
好ましくは、符号マークを時計のケースに刻むために、符号マークがホーンの間に搭載されるバンドにより隠されるべきホーンの間に刻まれる（配置される）。さらなる符号マークが時計のブランドのロゴと共にケースの内側部分に配置される。時計のブランドのロゴと組み合わせた符号マークが、ケースの材料にプリントされる。さらに、製造番号が符号マークと時計のブランド・ロゴに追加されて、暗号化（符号化）の刻印を形成する。この符号マークは、時計のムーブメントにも記載されて、時計のムーブメントおよび時計の文字板、そして指針を含む時計に刻まれる。
【００１４】
好ましくは、第１の認証子は、セキュリティを上げるために、特定のアルゴリズムの大きなサイズに依存する長い文字列を有する。非対称型のアルゴリズムは、秘密鍵を用いる。かくして得られた長い文字列が製品のＩＤカードに記載されて、販売される製品と共に提供される。この第１の認証子が二次元バーコードに変換されて、前記カードに記載される。第１の認証子により、非対称アルゴリズムの公開鍵で最初の識別子を見いだすことができる。この第１の認証子が前記製品を製造する工場により、あるいはセキュリティのために認証子のセンター（この工場あるいは認証センターが秘密鍵を有する）で供給され、すなわち計算される。一方で、二次元バーコードに変換されなかったあるいはされた第２の認証子を用いても識別子を見いだすことはできない。
【００１５】
好ましくは、二次元バーコードの形態の符号マークあるいは識別子は、製品の材料に刻印あるいはエッチングすることができる。エッチングはレーザー・ビームで行われる。符号化（暗号化）された識別子に対するさらなる署名は、レーザー・ビームを用いたプログラムされたエッチング深さの関数として得られる。暗号化マークをレーザー・ビームで読みとる手段により読みとり操作の間、マークを形成するレーザーに付属する署名は、単純な二次元バーコードの読みとりに加えて決定することができる。かくして、さらなるセキュリティが貴重品を認証するために得られる。
【００１６】
符号化マークの方法を用いた小型の製品のマーキングに関する本発明の更なる特徴は、請求項１０に記載されている。特に、製品の好ましい実施例は、請求項１１、１２に記載されている。
【実施例】
【００１７】
以下の本発明の説明は、時計あるいは宝飾品に符号マークを付する例を説明するが、本発明の符号マークを付する方法は、小型の他の製品にも適用可能である。本発明の符号マークを付する方法で使用される様々な暗号化操作は、当業者に公知であり、それらは折に触れ簡単に説明する。
【００１８】
図１は、時計のような小型の商品に符号マークを付する主要なステップを表す図である。同図において、ステップ１ではＩＤ番号が最初に標準（ＭＲＰ）の製造管理あるいはディストリビュート管理システム（例えばＳＡＰ、Navision等）により時計あるいは宝飾品に付けられる。このＩＤ番号は、理論的には各製品に独自のものである。このＩＤ番号は、製造報告とステータス制御システムに適した長さの一連の英数字キャラクタからなる。この識別子は追跡され、制御されるべき製品に、ステップ６で印刷あるいは直接エッチングされる。あるいは別の構成として、販売される製品が供給される製品のＩＤカードに付される。
【００１９】
第１数学的暗号化操作が実行されて、マークされるべき製品の識別子を、従来の非対称数学的暗号化アルゴリズム（ＲＳＡ、ＤＨ、ＥＣ等）を用いて刻印される。これは、従来の対称暗号化（ＡＥＳ、ＤＥＳ等）と組み合わせても組み合わせなくてもよい。安全のレベルを高めるために、一対の公開鍵と秘密鍵を有する非対称アルゴリズム（ＲＳＡタイプ）を選択して、ステップ２で第１の認証子を、秘密鍵を用いて識別子を暗号化することにより得る。例えば１０２４ビットの長さの秘密鍵を用いるが好ましい。その長さは、鍵が長くなると２つの異なる識別子から同一の第１の認証子を得る可能性が極めて減る（１０−３０８）。
【００２０】
ステップ２で得た第１の認証子は、第１データ長さを有する。この第１データ長さは、英数字キャラクタのある数のビットから構成される。１０２４ビットあるいは２０４８ビットの秘密鍵で、１７１個の英数字キャラクタあるいは３４２個の英数字キャラクタからなる第１の認証子を、大文字、小文字の文字あるいは記号の間を区別することにより得られる。審美観を損なわないようにするためには、宝飾品あるいは付すべき符号マークあるいは識別子を最小にする必要があるので、第１の認証子は、市販される製品上に直接付けることはできない。第１の認証子を二次元バーコードに変換した場合でも、製品に付けるほどの大きさに十分小さくすることができない。その理由は、市販されている標準のデジタル・バーコード・リーダーを用いて容易にバーコードを読みとることができず、あるいは拡大鏡を用いても読みとることができない。認証子のために製品上で利用可能な表面積は、理論上数ｍｍ２のみである。
【００２１】
しかし、ステップ７で第１の認証子を市販される製品に付属させるカードに識別子のようにマークを付することができる。カード上には、一連の英数字キャラクタと／または第１の認証子から変換された二次元バーコードの形態である。カードは、第１の認証子と識別子に加えて、時計の操作に関連する様々なデータおよび二次元バーコード・マトリックスに変換された時計の製造履歴を含む。
【００２２】
カード上にマークされた第１の認証子で、非対称アルゴリズムの公開鍵を用いて、製品の第１の認証チェック用の最初の識別子を見いだすことができる。こうするために、バンク型の計算機あるいはコンピュータをサポートするソフトウェア・データ（ＣＤ）を用いることができる。公開鍵は、計算機、あるいは識別子を暗号化するのに用いられた同一の非対称アルゴリズムを用いる計算サポート手段内に登録されている。第１の認証暗号解読操作から得られた識別子は、その後カードに記録された識別子あるいは製品に印刷されたあるいは刻印された識別子と比較される。
【００２３】
識別子は製品にプリントされたり、刻印されている場合には、カードを失った場合でも第１の認証子を得るために親会社あるいは認証センターにリクエストを行うことが可能である。親会社あるいは認証センターは、製造し販売されたマークの付いた商品のデータベースと、一対の公開鍵と秘密鍵とを有するアルゴリズムを用いた計算ソフトウェアとを有している。親会社によりデータの転送は、ライン伝送手段あるいはＥメール、郵便等で行われる。
【００２４】
セキュリティを高めながら符号マークのサイズを小さくするために、第２数学的暗号化操作を実行して新たな標準のハッシュ型の数型関数、例えばＭＤ５あるいはＳＨＡをステップ３で用いて、第１の認証子を暗号化する。これにより、第２の認証子が第１の長いデータ長さの第１の認証子をベースにして得られる。この第２の認証子は、第１の認証子のデータ長さよりも遙かに短い第２のデータ長さを有する。第２のデータ長さは、１２８ビットあるいは１６０ビットの２進数からなり、これは、例えば２１個あるいは２６個の英数字キャラクタにより表される。
【００２５】
データ長さの短い第２の認証子でもってしても、第１の２個の異なる認証子からの２つの同一の第２の認証子を得る確率は極めて低い（１０−３９）。この第２の認証子は、かくして実際的に独自の数学的表示である。この数学的表示は、高いレベルのセキュリティで暗号化されているが、文字の数は少ない。従って小型の製品にマークを付すのに適している。第２の認証子を得るために第２の数学的暗号化操作により、これは、不正業者による模造品における如何なる試みを複雑にする。
【００２６】
この第２の認証子は、直接符号マークとして符号化されるべき製品に付される。しかし、本発明によれば、この第２の認証子（短い一連の英数字キャラクタからなる）は、ステップ４で符号マークあるいは識別子として符号化（暗号化）されたイメージに変換される。この符号化されたイメージは、比較的小型の二次元バーコードである。第２の認証子を表すこの二次元バーコードは、製品上に符号マークとして容易に配置できる。このバーコードの表面は、１ｍｍ２以下である。例えば０．３６ｍｍ２であり、符号マークが配置される貴重品の審美性を損なうことはない。このような小さな寸法のバーコードでも、バーコードは標準のデジタル・バーコード・リーダーあるいは拡大鏡を用いて問題を生ぜずに読みとることができる。
【００２７】
第２の認証子を表すバーコードは、プリントされたり、打ち抜かれたりして時計のような製品の材料へのプリントあるいはエッチングされ、あるいはステップ５で他の消去不可能なマーキング手段によりマークされる。エッチングは、レーザー装置のレーザー・ビームを用いて行われるが、これはマークされるべき製品の表面状態に考慮を払いながら行われる。波長、パワーそして焦点光学系が時計の製品あるいは宝飾品の非常に小さな寸法でバーコードをエッチングするために、レーザー装置内で設定される。さらに、エッチングされるべき製品の表面は、局部的に処理して美的外観を改善し、バーコードの読みやすさを改善する。
【００２８】
符号化（暗号化）された識別子に対するさらなる署名は、レーザー・ビームを用いたプログラムされたエッチング深さの関数として、またはエッチング角度として得られる。このようにして、符号化マークをレーザー・ビームで読みとる手段により、読みとり操作の間、マークを形成するレーザーに付属する署名は、単純な二次元バーコードの読みとりに加えて決定することができる。かくして、さらなるセキュリティが貴重品を認証するために得られる。
【００２９】
第２の認証子を表す二次元バーコードは、識別子を知ることによってだけでは直接再現できない。その理由は、通常親会社あるいは認証センターのみがセキュリティを上げるためにそれを再現できるからである。こうするためには、暗号化アルゴリズムで使用された秘密鍵を知る必要があり、変換された第２の認証子を得るためにハッシュ型の関数を知る必要があるからである。
【００３０】
識別子が１つの製造業者の全ての製品に対し同一の場合には、これらの製品の全ては本発明の方法により得られた同一の符号マークあるいは識別子を記載する。この符号マークは、製造業者の暗号化シールである。しかし、同一の非対称アルゴリズムに対し複数の秘密鍵を有する複数の製造業者に対し、識別子が同一の場合でも、得られた符号マークは異なる暗号化鍵に応じて異なる。実際に各製造業者に関し、識別子は、ある製品、特に貴重品に対しては異なる。従って、符号マークまたは表示は製造される各製品毎に異なる。これにより、データに関連する製造報告書とステータス制御が各製造業者に供給される。
【００３１】
図２に小型の製品に符号をマークする方法を示す。このマークされた製品は腕時計のケース１０である。こうするために、第１の二次元バーコード１１が、これは変換された第２の認証子を表すが、ケースの外側部品、例えばケースのホーンの間に印刷される。かくして、バーコードはホーンの間に搭載される時計のバンドの端部により隠される。
【００３２】
第２の認証子の変換から得られた第２の二次元バーコード１１と／または時計ブランドの名前は、ケースの内側に記載される。この第２のバーコードは第１のバーコードとは異なる。この第２のバーコードは、符号マークとして時計のブランドのロゴ１２と組み合わされる。
【００３３】
時計のブランドのロゴと組み合わせた符号マークの印字は、ケースの内側部品の材料に行われる。さらに、一連の番号１３は、識別子として時計のバンドの符号マーク１１とロゴ１２に付加されて、符号化された刻印を形成する。この種類の符号マークは、時計のムーブメント、時計の文字板、時計の指針、さらには時計の他の構成部品にも付けることができる。各バーコードと時計のブランドのロゴと製造者番号は、ケースの材料に印刷あるいはエッチングで刻印される。
【００３４】
第２の認証子の変換から得られた二次元バーコードは、他の暗号化イメージで置換できる。但し、この暗号化（符号化）イメージは、レーザー・ビーム、例えばリーダー装置のレーザー・ビームにより簡単に読み出すことができることが条件である。識別子は、時計のブランドのサインあるいは宝飾品のブランドのサインを含む。
【００３５】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００３６】
【図１】本発明による小型の製品に暗号化マークを付する様々なステップを表すフローチャート図。
【図２】本発明の方法によりマークを付した時計のケースの製造番号と／または時計のブランドのロゴとを組み合わせて配置された２個の符号マークが刻印された小型製品である時計のケースを表す図。
【符号の説明】
【００３７】
１０  製品
１１  符号化イメージ
１２  ロゴ
１３  識別子
図１
１  識別子
２  第１の認証
３  第２の認証
４  符号を二次元バーコードに変換する
５  製品
６  製品またはカード
７  カード
【図１】
2009536467.tif 000003
【図２】
2009536467.tif 000004
【国際調査報告】
2009536467.tif 000005
2009536467.tif 000006
2009536467.tif 000007
2009536467.tif 000008
2009536467.tif 000009
2009536467.tif 000010